(57)【要約】【課題】  ペットに飲料水を提供するとともに、ペットの尿液を希釈することや暑い日にペットの体に水を噴射することができるペット用尿液希釈装置を提供する。【解決手段】  容器を含んでなり、容器は内部に水を充填し、一端に給水端を設けてなり、給水端はペット用の飲料水を供給するために供し、容器の適宜な位置にはノズルが設けられ、該ノズルにはレバーが設けられ、該レバーは容器内の水を外部に噴射することができ、ノズルから外部に噴射した水でペットの尿液を希釈して環境衛生を保つことができる構造からなる。【選択図】  図2
0003138115.tif 000002
【実用新案登録請求の範囲】
【請求項１】
容器を含んでなり、
該容器は、内部に水を充填し、容器には給水端が設けられ、該給水端はペット用の飲料水を供給するために供し、容器の適宜な位置にはノズルが設けられ、該ノズルにはレバーが設けられ、該レバーは容器内の水を外部に噴射することができ、ノズルから外部に噴射した水でペットの尿液を希釈して環境衛生を保つことができる構造からなることを特徴とするペット用尿液希釈装置。
【請求項２】
前記ノズルの下方には容器の内部に挿入して設けられた導管が設けられることを特徴とする請求項１に記載のペット用尿液希釈装置。
【請求項３】
前記ノズルと給水端がそれぞれ容器の異なる端縁部に設けられ、該ノズルと給水端がそれぞれ、容器の両端縁部に回転蓋を設けてなることを特徴とする請求項１に記載のペット用尿液希釈装置。
【請求項４】
前記ノズルと給水端がそれぞれ容器の同一端縁部に設けられ、該ノズルと給水端が回転蓋上に共に設けられることを特徴とする請求項１に記載のペット用尿液希釈装置。
【請求項５】
前記給水端が管体で内部に球体を設けてなり、該管体は外側にカバーが設けられるとともに、外側に凸リングが設けられ、カバーの内壁に凹リングが設けられ、該カバーの凹リングが管体の凸リングを嵌合し、カバーを位置決めするために供することを特徴とする請求項１に記載のペット用尿液希釈装置。
【考案の詳細な説明】
【技術分野】
【０００１】
この考案は、ペット用の給水器に関し、特にペットに水を供給するとともに、ペットの尿液を希釈することができるペット用尿液希釈装置に関する。
【背景技術】
【０００２】
従来のペット用給水器は、図１に開示するように、容器１０を含んでなる。該容器１０は、一端に給水端１１を設け、他端に蓋体１２を設けるか、或いは閉じた状態に形成される。
【０００３】
該給水端１１は内側にペットが舐めるために供する球体１１１が設けられる。該球体１１１は、ペットが舐めると、移動して水が容器１０からペットに供給するために外部に流れ出てくる。
【０００４】
ペットが球体１１１を舐めない時、球体１１１が給水端１１を塞いだ状態になるため、内部の水が流れ出てくることがない。
【０００５】
該ペット用給水器は、ペット用のゲージの上に設けるか、飼い主が携帯するか、或いはペットの体に取り付けることもできるため、非常に便利である。
【０００６】
しかしながら、飼い主がペットを連れて外出すると、ペットが様々な場所で尿をして、その場所から悪臭が発生する。ペットの大便は掃除することができるが、尿は液体で路面などに浸み込むため、取り除くことができない。よって、家の外、或いは公園などであっても環境衛生に影響を与えることになる。
【考案の開示】
【考案が解決しようとする課題】
【０００７】
この考案は、ペットに飲料水を提供するとともに、ペットの尿液を希釈することや暑い日にペットの体に水を噴射することができるペット用尿液希釈装置を提供することを課題とする。
【課題を解決するための手段】
【０００８】
そこで、本考案者は従来の技術に見られる欠点に鑑みて鋭意研究を重ねた結果、容器を含んでなり、
該容器は、内部に水を充填し、容器には給水端が設けられ、該給水端はペット用の飲料水を供給するために供し、容器の適宜な位置にはノズルが設けられ、該ノズルにはレバーが設けられ、該レバーは容器内の水を外部に噴射することができ、ノズルから外部に噴射した水でペットの尿液を希釈して環境衛生を保つことができる構造からなるペット用尿液希釈装置によって課題を解決できる点に着眼し、かかる知見に基づいて本考案を完成させた。
【０００９】
以下、この考案について具体的に説明する。
請求項１に記載のペット用尿液希釈装置は、容器を含んでなり、
該容器は、内部に水を充填し、容器には給水端が設けられ、該給水端はペット用の飲料水を供給するために供し、容器の適宜な位置にはノズルが設けられ、該ノズルにはレバーが設けられ、該レバーは容器内の水を外部に噴射することができ、ノズルから外部に噴射した水でペットの尿液を希釈して環境衛生を保つことができる構造からなる。
【００１０】
請求項２に記載のペット用尿液希釈装置は、請求項１におけるノズルの下方には容器の内部に挿入して設けられた導管が設けられる。
【００１１】
請求項３に記載のペット用尿液希釈装置は、請求項１におけるノズルと給水端がそれぞれ容器の異なる端縁部に設けられ、該ノズルと給水端がそれぞれ、容器の両端縁部に回転蓋を設けてなる。
【００１２】
請求項４に記載のペット用尿液希釈装置は、請求項１におけるノズルと給水端がそれぞれ容器の同一端縁部に設けられ、該ノズルと給水端が回転蓋上に共に設けられる。      
【００１３】
請求項５に記載のペット用尿液希釈装置は、請求項１における給水端が管体で内部に球体を設けてなり、該管体は外側にカバーが設けられるとともに、外側に凸リングが設けられ、カバーの内壁に凹リングが設けられ、該カバーの凹リングが管体の凸リングを嵌合し、カバーを位置決めするために供する。
【考案の効果】
【００１４】
この考案によるペット用尿液希釈装置は、ペットの尿液に内部の水を噴射して希釈することにより環境衛生を保つことができるとともに、飼い主のモラルを示すことができるという効果を有する。
【考案を実施するための最良の形態】
【００１５】
この考案は、ペットに飲料水を提供するとともに、ペットの尿液を希釈することや暑い日にペットの体に水を噴射することができるペット用尿液希釈装置であって、容器を含んでなり、
該容器は、内部に水を充填し、容器には給水端が設けられ、該給水端はペット用の飲料水を供給するために供し、容器の適宜な位置にはノズルが設けられ、該ノズルにはレバーが設けられ、該レバーは容器内の水を外部に噴射することができ、ノズルから外部に噴射した水でペットの尿液を希釈して環境衛生を保つことができる構造からなるペット用尿液希釈装置構造とその組み立て方法の特徴を詳述するために具体的な実施例を挙げ、図示を参照にして以下に説明する。
【実施例】
【００１６】
この考案のペット用尿希釈装置は、図１、２に開示するように、容器２０を主体として形成する。該容器２０は、内部に水を充填できるものであれば、ビン状、或いは他の形状に形成しても良く、底端に給水端２１及び回転蓋２２とを設けてなる。
【００１７】
該給水端２１と回転蓋２２とは互いに接続し、該回転蓋２２は、容器２０の底端に組み合わせて設けられる（ネジ溝により螺接する）。
【００１８】
該給水端２１は、管体２１１であって、内部に球体２１２を具えてなる。ペットが球体２１２を舐めると、球体２１２が上下に移動し、容器２０内部の水が管体２１１から流出する。
【００１９】
ペットが球体２１２を舐めない時、球体２１２は、管体２１１を塞いだ状態になるため、管体２１１内部の水が流出しない。よって、給水端２１はペットの給水用として使用することができる。
【００２０】
給水端２１を使用しない場合には、カバー２１３を管体２１１に被覆（図４参照）すれば球体２１２が外力で押されることを防ぐため、管体２１１内部の水が外部に流出することがない。
【００２１】
また、管体２１１の外側に凸リング２１１１を設け、カバー２１３の内壁に凹リング２１３１を設け、凹リング２１３１は凸リング２１１１を嵌合し、カバー２１３を位置決めするために供して、カバー２１３が抜け落ちることを防ぐ。
【００２２】
容器２０は上端に回転蓋２３とノズル２４とを具えてなる。該ノズル２４と回転蓋２３とは互いに接続する。該回転蓋２３は、容器２０の上端に組み合わせて設けられる（ネジ溝で
螺接される）。
【００２３】
該ノズル２４の下方に設けられた導管２４１は、容器２０の内部に挿入して設けられる。該ノズル２４にはレバー２４２が設けられ、該レバー２４２を押すと、容器２０内部の水が導管２４１を介してノズル２４から外部に噴射される。
【００２４】
上述のように組み合わせて構成されるペット用尿液希釈装置は、ペットを連れて外出する場合、給水端２１は、ペット用の飲料水を供給するとともに、ペットが外で尿をした場合、その箇所の地面に容器２０内部の水を噴射することができる。
【００２５】
即ち、該容器２０のノズル２４をペットが尿をした地面に向けて、レバー２４２を押すと、内部の水が外部に噴射されてペットの尿液が希釈されるため、環境衛生を保つことができる。よって、ペットの尿液を希釈する機能を具えているため、飼い主のモラルの高さと、礼儀の良さを示すことができる。
【００２６】
また、該ノズル２４は、ペットの尿液を希釈することができる他、気温が高い時にペットの体温を下げるため、水を直接ペットの体に噴射して使用することもできる。
【００２７】
図５は、この考案の他の実施形態を示したものである。図面によれば、該ノズル３４と給水端３１はそれぞれ、容器３０の同じ一端に設けられる。また、該ノズル３４と給水端３１は同じ回転蓋３２に設けられる。該回転蓋３２は容器３０の一端に設けられる。
【００２８】
該ノズル３４と給水端３１は、回転蓋３２の上方の両側面に位置するように設けられる。その他の構造は前述の実施形態と同じで、給水端３１、回転蓋３２、ノズル３４、導管３４１、レバー３４２とを具えてなる。
【００２９】
該ノズル３４の下方には容器３０の内部に挿入された導管３４１が設けられる。該ノズル３４は、レバー３４２を設けてなる。給水端３１は、管体３１１に形成され、内側に球体３１２を具えてなる。
【００３０】
上述の実施形態では、容器３０を逆さまに設けると、給水端３１をペット用の給水器として使用することができる。また、ペットが尿をした場合には、給水端３１が上部になるように容器３０を正しい方向に設け、レバー３４２を押してペットが尿をした箇所にノズル３４から水を噴射し、尿液を希釈することができる。
【００３１】
この考案のノズル２４、３４、或いはレバー２４２、３４２は、この形態に制限されることはなく、水を噴射することができるノズル、或いはレバーであれば、どのような形態でもよい。
【００３２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３３】
【図１】従来のペット用給水器を示した説明図である。
【図２】この考案のペット用尿液希釈装置を示した斜視図である。
【図３】図２に開示するペット用尿液希釈装置の説明図である。
【図４】図２に開示するペット用尿液希釈装置を示した部分拡大図である。
【図５】この考案のペット用尿液希釈装置の他の実施形態を示した説明図である。
【符号の説明】
【００３４】
１０       容器
１１       給水端
１１１     球体
２０       容器
２１       給水端
２１１     管体
２１１１   凸リング
２１２     球体
２１３     カバー
２１３１   凹リング
２２       回転蓋
２３       回転蓋
２４       ノズル
２４１     導管
２４２     レバー
３０       容器
３１       給水端
３１１     管体
３１２     球体
３２       回転蓋
３４       ノズル
３４１     導管
３４２     レバー
【図１】
0003138115.tif 000003
【図２】
0003138115.tif 000004
【図３】
0003138115.tif 000005
【図４】
0003138115.tif 000006
【図５】
0003138115.tif 000007